(57)【特許請求の範囲】
【請求項１】
少なくとも使用者の手や身体が接触する接触部は、軟質または半硬質の熱可塑性樹脂および微粒子の木粉を主材とする組成物から構成されており、前記熱可塑性樹脂は、重合度が高く、有色顔料が含まれており、前記木粉には、白色顔料である少量の酸化チタンが添加されて、当該木粉の周りに酸化チタンの微粒子がついた木粉微粒子担持体が形成され、前記熱可塑性樹脂および前記木粉微粒子担持体の混合物の押し出し成形によって前記接触部が成形されることを特徴とする遊具。
【請求項２】
請求項１に記載の遊具において、前記接触部には、抗菌剤が含有されていることを特徴とする遊具。
【請求項３】
請求項１または２に記載の遊具において、前記接触部が取っ手および座部とされたシーソーであることを特徴とする遊具。
【請求項４】
請求項１または２に記載の遊具において、前記接触部が吊り下げ部材の外周部および座部とされたぶらんこであることを特徴とする遊具。
【請求項５】
請求項１または２に記載の遊具において、前記接触部が滑降面を形成する滑降部とされた滑り台であることを特徴とする遊具。
【請求項６】
請求項１または２に記載の遊具において、前記接触部が骨組み部材の外周部とされたジャングルジムであることを特徴とする遊具。
【請求項７】
請求項１または２に記載の遊具において、前記接触部が水平棒の外周部とされた鉄棒であることを特徴とする遊具。
【請求項８】
請求項１〜７のいずれかに記載の遊具において、前記接触部の表面には、複数の凸条部または複数の凹条部が形成されていることを特徴とする遊具。
【発明の詳細な説明】
【０００１】
【発明の属する技術分野】
本発明は、遊具に係り、例えば、シーソーやぶらんこ等の遊具に関するものである。
【０００２】
【背景技術】
従来より、学校の校庭や公園等には、シーソーやぶらんこ、滑り台といった遊具が設置されている。
これら遊具には、取っ手等の手や身体の触れる部分が設けられている。このような部分は磨耗しやすいので、通常、鉄や鋼等の金属で形成され、遊具自体の外観を損なわないように金属の表面に塗装等を施していた。
【０００３】
【発明が解決しようとする課題】
しかしながら、従来の遊具では、取っ手等の手や身体の触れる部分が金属で形成されているため、その部分に手や身体が触れると、感触が冷たく、使い心地が良好ではないという問題があった。
また、長い間使用すると、金属の表面に施した塗装が磨耗によって剥がれてしまうことがあるので、その金属の外観、ひいては遊具の外観が損なわれるという問題もあった。
さらに、木製の取っ手等を取り付ける場合もあるが、木製のものも、表面の塗装等が磨耗すると剥がれてしまって外観が損なわれる上、例えば、滑り台の滑降面等を木材で形成した場合には、滑りが悪くなって、使用することができなくなるという問題もあった。
【０００４】
本発明の目的は、手や身体が触れても、暖かみのある感触を得ることができ、使い心地を良好にでき、外観を良好に維持できる遊具を提供することにある。
【０００５】
【課題を解決するための手段】
本発明の遊具は、図面を参照して説明すると、少なくとも使用者の手や身体が接触する接触部は、軟質または半硬質の熱可塑性樹脂および微粒子の木粉を主材とする組成物から構成されており、前記熱可塑性樹脂は、重合度が高く、有色顔料が含まれており、前記木粉には、白色顔料である少量の酸化チタンが添加されて、当該木粉の周りに酸化チタンの微粒子がついた木粉微粒子担持体が形成され、前記熱可塑性樹脂および前記木粉微粒子担持体の混合物の押し出し成形によって前記接触部が成形されることを特徴とする。
軟質または半硬質の熱可塑性樹脂とは、塩化ビニル樹脂、ポリプロピレン樹脂、スチロール樹脂、アクリロニトリル−ブタジエン−スチレン共重合体樹脂（ＡＢＳ樹脂）、またはこれらの発泡体材料等をいい、特に、押し出し成形等に優れた塩化ビニル樹脂、あるいは射出成形等に優れたポリプロピレン樹脂が好適である。
【０００６】
このような本発明によれば、接触部を軟質または半硬質の熱可塑性樹脂と、微粒子の木粉とを主材とする組成物から構成することによって、接触部の表面に手や身体が触れても木の風合いによる暖かな感触が得られるようになり、使い心地が良好になる。
その上、接触部を軟質または半硬質の熱可塑性樹脂と、微粒子の木粉とを主材とする組成物から構成することによって、塗装等の仕上げ作業を行う必要がないので、従来のように接触部の塗装が磨耗によって剥がれて外観が低下することがなく、接触部の外観、ひいては遊具自体の外観が良好に維持されるようになる。
【０００７】
また、重合度が高く（例えば１０００程度）、有色顔料が含まれている熱可塑性樹脂を用いることなどによって、有色顔料による着色にむらを生じさせて筋状の濃淡を形成することによって接触部を木目模様にできる。このため、例えば、金属や木材に木目模様が印刷された樹脂製のフィルムを貼り付ける場合に比べて、接触部の表面だけでなく、その内部にも木目模様が形成されているので、接触部が磨耗しても木目模様が消えることがなく、この点からも接触部の外観、ひいては遊具自体の外観が良好に維持されるようになる。
【０００８】
また、前記木粉には、少量の酸化チタンを含有させることが好ましい。
ここで、少量の酸化チタンとは、後述する木粉微粒子担持体を形成する程度の量をいう。
このような場合には、木粉に少量の酸化チタンを含有させるので、接触部の表面が天然の木目模様により酷似したものとなる。
そして、酸化チタンの含有により、接触部の表面は繊毛が少なく粒状となるため、その表面に毛羽立ちを生じたりすることがなく、その表面が滑らかに仕上げられて使い心地が一層向上する。
【０００９】
さらに、接触部には、抗菌剤が含有されていることが望ましい。
ここで、抗菌剤としては、例えば、リン酸ジリコニウム、シリカゲル等の分子間に銀を担持させ、イオン交換を行うことで抗菌する無機系抗菌剤や、ジンクピリチオン等の有機化合物系の物質を用いる有機系抗菌剤などがある。
接触部に抗菌剤を含有すれば、接触部を使用する度、または一定の期間毎に消毒等を行う必要がないので、接触部の手入れ作業が軽減される。なお、抗菌剤は、接触部を形成する材料に混入するものでもよいし、接触部を形成後、液状にして塗布するものであってもよい。
【００１０】
また、遊具としては、接触部が取っ手１２および座部１１とされたシーソー１０であってもよいし、吊り下げ部材２２の外周部２２Ｂおよび座部２３とされたぶらんこ２０であってもよいし、滑降面を形成する滑降部３３とされた滑り台３０であってもよいし、骨組み部材４１の外周部４１Ａとされたジャングルジム４０であってもよいし、水平棒５１の外周部５１Ａとされた鉄棒５０であってもよい。
【００１１】
接触部がシーソーの取っ手および座部として設けられていれば、シーソーを使用する際にその取っ手および座部に手や身体が触れても暖かな感触が得られるようになり、使い心地が良好になる。
さらに、ぶらんこの吊り下げ部材の外周部および座部として設けられたり、滑り台の滑走面を形成する滑降部として設けられたり、ジャングルジムの骨組み部材の外周部として設けられたり、鉄棒の水平棒の外周部として設けられていても、シーソーの取っ手および座部と同様の作用効果が得られるようになる。
【００１２】
また、接触部の表面に複数の凸条部１０１または複数の凹条部１０２を形成してもよい。
接触部の表面、例えば、ぶらんこの座部の長手方向に沿って複数の凸条部または複数の凹条部を形成すれば、その形成された方向と直交する方向に滑りにくくなり、滑り台の滑降部にその滑り降りる方向に沿って複数の凸条部または複数の凹条部を形成すれば、滑り降りる際に滑りやすくなるので、凸条部、凹条部を接触部の機能に応じて形成することによって、より使い心地が良好になる。
その上、凸条部や凹条部は、接触部を押し出し成形または射出成形する際に同時に形成可能であるため、木材を加工して凸条部や凹条部を形成する場合に比べて容易に製造されるようになる。
【００１３】
【発明の実施の形態】
以下に本発明の実施の形態を図面に基づいて説明する。
図１は、本発明の第１実施形態に係る遊具であるシーソー１０を示す全体斜視図である。
シーソー１０は、接触部である長方形の板状に形成された座部１１と、座部１１の上面に取り付けられた接触部である正面コ字形状の取っ手１２と、座部１１の中央を支持する支持台１３とを含んで構成されている。
【００１４】
座部１１および取っ手１２は、押し出し成形で形成された木目模様を有する樹脂成型品であり、重合度１０００程度で有色顔料が含まれた塩化ビニル樹脂等の押し出し成形性に優れた熱可塑性樹脂と微粒子の木粉とを主材にした組成物から構成され、この組成物中には、少量の酸化チタンおよび無機系抗菌剤等の抗菌剤が含有されている。
【００１５】
次に、座部１１および取っ手１２の製造方法について説明する。
まず、木材の加工工場等から生じる端材や鋸屑を集め、これらの端材等をボールミルによって細磨し、木粉微粒子（直径約６０μｍ）を形成する。そして、木粉微粒子に少量の酸化チタンを添加し、混練することによって、木粉微粒子の周りに酸化チタンの微粒子がついた木粉微粒子担持体を形成する。
この後、木粉微粒子担持体、塩化ビニル樹脂等の熱可塑性樹脂の微粒粉、および抗菌剤を混練して混合ペレットを形成し、この混合ペレットを１５０度〜２００度で加熱溶解して押し出し成形することにより、シーソー１０の座部１１および取っ手１２を成形する。
【００１６】
このような本実施形態によれば、次のような効果が得られる。
シーソー１０の座部１１および取っ手１２が塩化ビニル樹脂等の熱可塑性樹脂と、微粒子の木粉とを主材とする組成物から構成されているので、手や身体が座部１１や取っ手１２に触れても木の風合いによる暖かな感触を得ることができ、シーソー１０の使い心地を良好にできる。
【００１７】
その上、座部１１および取っ手１２が塩化ビニル樹脂等の熱可塑性樹脂と、微粒子の木粉とを主材とする組成物から構成されているため、塗装等の仕上げ作業を行う必要がなく、このため、従来のように座部１１および取っ手１２の塗装等が磨耗によって剥がれて外観が低下することがなく、座部１１および取っ手１２の外観、ひいてはシーソー１０自体の外観を良好に維持できる。
【００１８】
さらに、座部１１および取っ手１２が水に濡れても、金属製のように錆びたり、木製のように内部に浸透して腐ったりすることがなく、十分な耐水性を得ることができる。このため、金属や木材等を用いる場合に比べて、手入れ等の管理も容易に行うことができる。
【００１９】
また、木粉微粒子に少量の酸化チタンが含有されているので、その表面は繊毛が少なく粒状となるため、シーソー１０の座部１１および取っ手１２の表面に毛羽立ちが生じたりすることがなく、座部１１および取っ手１２の表面を滑らかに仕上げることができ、使い心地を一層向上できる。
【００２０】
そして、重合度が高く（例えば１０００程度）、有色顔料が含まれている塩化ビニル樹脂を用いることによって、押し出し成形時に塩化ビニル樹脂が十分融合せず、有色顔料による着色にむらが生じ、このむらによって、押し出し方向に筋状の濃淡が形成される。これにより、座部１１および取っ手１２の表面を天然の木目に極めて近い木目模様にできる。この際、白色顔料である酸化チタンが有色顔料の表面にくるため、下の有色顔料がぼけて見えて色柄が不均一となるので、より本物の木目に近い模様にできる。
【００２１】
さらに、このような木目模様は、接触部の表面だけでなく、その内部にも形成されているので、例えば、金属や木材に木目模様が印刷された樹脂製のフィルムを貼り付ける場合に比べて、座部１１および取っ手１２が磨耗しても木目模様が消えることがなく、シーソー１０自体を良好な外観に維持することができる。
【００２２】
また、酸化チタンの含有により、木粉微粒子が酸化チタンに覆われた担持体が形成されるので、座部１１および取っ手１２の製造工程において、木粉微粒子が繊維状ではなく粒状となり、繊維状の木粉微粒子を配合分散した際、その繊維状部分が絡み合って団子状、綿状になるのと異なり、個々が独立した状態で分散されるため、熱可塑性樹脂と木粉微粒子との混練時に混練状態を均一にでき、これにより、成形されて得られる座部１１および取っ手１２についても十分に均一な材質とすることができ、経年等により座部１１および取っ手１２に反り等が発生するのを防止できる。
【００２３】
さらに、木粉が熱的、化学的に安定な酸化チタンを担持しているため、木粉にアルカリ処理等の化学処理を施すことがなく、成形時における木粉の分解を抑制して成形性をより向上させることができる。
【００２４】
また、シーソー１０の座部１１および取っ手１２に抗菌剤を含有することによって、座部１１および取っ手１２に触れる度、または一定の期間毎に消毒等を行う必要がないので、座部１１および取っ手１２の手入れ作業を軽減することができる。
【００２５】
図２は、本発明の第２実施形態に係る遊具であるぶらんこ２０を示す全体斜視図である。
本実施形態は、本発明の接触部をぶらんこ２０の吊り下げ部材２２の外周部２２Ｂおよび座部２３として用いたものである。
ぶらんこ２０は、支持部材２１と、支持部材２１に吊り下げられた２本の吊り下げ部材２２と、その吊り下げ部材２２の下端に掛け渡された座部２３とから構成されている。
図３にも示すように、吊り下げ部材２２は、金属補強材であるワイヤ２２Ａと、このワイヤ２２Ａを被覆する外周部２２Ｂとから形成されている。なお、外周部２２Ｂは、ぶらんこ２０に乗った際に手で掴む部分に設けられている。
この吊り下げ部材２２の外周部２２Ｂおよび座部２３は、前記第１実施形態のシーソー１０の座部１１および取っ手１２と同じ材質からなり、同様に押し出し成形で形成されている。
本実施形態においても、吊り下げ部材２２の外周部２２Ｂおよび座部２３がシーソー１０の座部１１および取っ手１２（図１）と同じ材質であるため、前記第１実施形態と同一の効果が得られる。
【００２６】
図４は、本発明の第３実施形態に係る遊具である滑り台３０を示す全体斜視図である。
本実施形態は、本発明の接触部を滑り台３０の滑降部３３として用いたものである。
滑り台３０は、滑り台３０の上部に上るための階段部３１と、階段部３１を上る際に身体を支持する手摺り部３２と、下方へ滑り降りる滑降面を形成する滑降部３３とから構成されている。
滑降部３３は、断面コ字形の金属製の凹部３３Ａに断面コ字形の滑降材３３Ｂが嵌合されて形成されている。
この滑降材３３Ｂは、前記第１実施形態のシーソー１０の座部１１および取っ手１２と同じ材質からなり、同様に押し出し成形で形成されている。
本実施形態においても、滑降部３３の滑降材３３Ｂがシーソー１０の座部１１および取っ手１２（図１）と同じ材質であるため、前記第１実施形態と同一の効果が得られる。
【００２７】
図５は、本発明の第４実施形態に係る遊具であるジャングルジム４０を示す全体斜視図である。
本実施形態は、本発明の接触部をジャングルジム４０における骨組み部材４１の外周部４１Ａとして用いたものである。
ジャングルジム４０は、骨組み部材４１を縦横にやぐら状に組み合わせて形成されている。
骨組み部材４１は、前記第２実施形態の吊り下げ部材２２と同様に、図示しない金属補強材である金属棒と、この金属棒を被覆する外周部４１Ａとから形成されている。
外周部４１Ａは、前記第１実施形態のシーソー１０の座部１１および取っ手１２と同じ材質からなり、同様に押し出し成形で形成されている。
本実施形態においても、骨組み部材４１の外周部４１Ａがシーソー１０の座部１１および取っ手１２（図１）と同じ材質であるため、前記第１実施形態と同一の効果が得られる。
【００２８】
図６は、本発明の第５実施形態に係る遊具である鉄棒５０を示す全体斜視図である。
本実施形態は、本発明の接触部を鉄棒５０における水平棒５１の外周部５１Ａとして用いたものである。
鉄棒５０は、水平棒５１と、水平棒５１の両端を固定する２本の支持棒５２とから構成されている。
水平棒５１は、前記第２実施形態の吊り下げ部材２２と同様に、図示しない金属補強材である金属棒と、この金属棒を被覆する外周部５１Ａとから形成されている。
外周部５１Ａは、前記第１実施形態のシーソー１０の座部１１および取っ手１２と同じ材質からなり、同様に押し出し成形で形成されている。
本実施形態においても、水平棒５１の外周部５１Ａがシーソー１０の座部１１および取っ手１２（図１）と同じ材質であるため、前記第１実施形態と同一の効果が得られる。
【００２９】
なお、本発明は前記実施の形態に限定されるものではなく、本発明の目的を達成できる他の構成等を含み、以下に示すような変形等も本発明に含まれる。
例えば、前記実施形態としては、シーソー１０の座部１１および取っ手１２、ぶらんこ２０における吊り下げ部材２２の外周部２２Ｂおよび座部２３、滑り台３０の滑降部３３、ジャングルジム４０における骨組み部材４１の外周部４１Ａ、鉄棒５０の水平棒５１の外周部５１Ａには抗菌剤が含有されていたが、含有しなくてもよく、例えば、シーソー１０の座部１１および取っ手１２等を使用する度、または一定の期間毎に消毒等を行ってもよい。
【００３１】
さらに、前記第２実施形態では、ぶらんこ２０における外周部２２Ｂが手で掴む部分だけに形成されていたが、これに限らず、例えば、図７に示すように、ワイヤ２２Ａの全体に被覆されていてもよい。
【００３２】
また、ぶらんこ２０の座部２３の表面としては、図８および図９に示すように、筋状の凸条部１０１または溝状の凹条部１０２がその長手方向に沿って平行に複数形成されていてもよい。ここで、凸条部１０１は、ぶらんこ２０の座部２３の表面から上方に突出した部分であり（図８）、凹条部１０２は、ぶらんこ２０の座部２３の表面から下方に窪んだ部分である（図９）。
ぶらんこ２０の座部２３の表面にその長手方向に沿って凸条部１０１、凹条部１０２を形成することによって、ぶらんこ２０の座部２３に腰掛けた際、その長手方向すなわち凸条部１０１、凹条部１０２が形成された方向に直交する方向に滑りにくくなり、腰掛け位置がずれなくなるので、より使い心地を向上できる。このような表面形状は、シーソー１０の座部１１にも適用することができ、同様の効果を得ることができる。
また、滑り台３０における滑降部３３の滑降材３３Ｂの表面にも、その長手方向つまり滑り降りる方向に沿って凸条部１０１および凹条部１０２を形成すれば、滑り降りる際により一層滑りやすくなり、より使い心地を向上できる。
【００３３】
その上、凸条部１０１および凹条部１０２は、シーソー１０の座部１１やぶらんこ２０の座部２３、滑り台３０における滑降部３３の滑降材３３Ｂの押し出し成形によって同時に形成されるので、木材を加工して凸条部１０１や凹条部１０２を形成する場合に比べ、簡単に形成することができ、ひいてはシーソー１０の座部１１やぶらんこ２０の座部２３、滑り台３０における滑降部３３の滑降材３３Ｂを容易に製造できる。
さらに、シーソー１０の座部１１やぶらんこ２０の座部２３としては、図８、９に示すように、本発明の接触部と金属製の下地材１０３とで構成されていてもよい。
【００３４】
また、ぶらんこ２０における吊り下げ部材２２の外周部２２Ｂの表面としては、図１０に示すように、その長手方向に沿って溝状の凹条部１０２または図示しない筋状の凸条部が平行に複数形成されていてもよい。
ぶらんこ２０における吊り下げ部材２２の外周部２２Ｂの表面に凸条部や凹条部１０２を形成することによって、掴んだ際に滑りにくくすることができ、より使い心地を向上できる。このような表面形状は、ジャングルジム４０における骨組み部材４１の外周部４１Ａにも適用することができ、同様の効果を得ることができる。
その上、凸条部および凹条部１０２は、ぶらんこ２０における吊り下げ部材２２の外周部２２Ｂやジャングルジム４０における骨組み部材４１の外周部４１Ａの押し出し成形によって同時に形成されるので、木材を加工して凸条部や凹条部１０２を形成する場合に比べて、簡単に形成することができ、ひいてはぶらんこ２０における吊り下げ部材２２の外周部２２Ｂやジャングルジム４０における骨組み部材４１の外周部４１Ａを容易に製造できる。
【００３５】
さらに、本発明の遊具としては、シーソー１０やぶらんこ２０、滑り台３０、ジャングルジム４０、鉄棒５０等に限らず、例えば、砂場やはしご等であってもよい。
【００３６】
【発明の効果】
以上に述べたように、本発明の遊具によれば、接触部が軟質または半硬質の熱可塑性樹脂と、微粒子の木粉とを主材とする組成物から構成されているので、手や身体が触れても、暖かな感触を得ることができ、使い心地を良好にでき、外観を良好に維持できるという効果がある。
【図面の簡単な説明】
【図１】本発明の第１実施形態における遊具であるシーソーを示す全体斜視図である。
【図２】本発明の第２実施形態における遊具であるぶらんこを示す全体斜視図である。
【図３】図２における吊り下げ部材の拡大斜視図である。
【図４】本発明の第３実施形態における遊具である滑り台を示す全体斜視図である。
【図５】本発明の第４実施形態における遊具であるジャングルジムを示す全体斜視図である。
【図６】本発明の第５実施形態における遊具である鉄棒を示す全体斜視図である。
【図７】本発明の変形例であって、遊具であるぶらんこを示す全体斜視図である。
【図８】本発明の他の変形例であって、ぶらんこの座部の表面を示す斜視図である。
【図９】本発明の他の変形例であって、ぶらんこの座部の表面を示す斜視図である。
【図１０】本発明のその他の変形例であって、ぶらんこにおける吊り下げ部材の外周部の表面を示す斜視図である。
【符号の説明】
１０  遊具であるシーソー
１１  接触部である座部
１２  接触部である取っ手
２０  遊具であるぶらんこ
２２  吊り下げ部材
２２Ｂ  接触部である外周部
２３  接触部である座部
３０  遊具である滑り台
３３  接触部である滑降部
４０  遊具であるジャングルジム
４１  骨組部材
４１Ａ  接触部である外周部
５０  遊具である鉄棒
５１  水平棒
５１Ａ  接触部である外周部
１０１  凸条部
１０２  凹条部
【図１】
0003780074.tif 000002
【図２】
0003780074.tif 000003
【図３】
0003780074.tif 000004
【図４】
0003780074.tif 000005
【図５】
0003780074.tif 000006
【図６】
0003780074.tif 000007
【図７】
0003780074.tif 000008
【図８】
0003780074.tif 000009
【図９】
0003780074.tif 000010
【図１０】
0003780074.tif 000011